(57)【要約】【課題】  給電電圧の値が変化することで制御され、かつ、給電電圧の値が小さい期間における電気的な損失の増加を抑えることができる点灯装置、照明器具、及び照明システムを提供する。【解決手段】  点灯装置２ａは、定電流回路２０２と、電圧判定部２０１と、を備える。定電流回路２０２は、一対の給電路Ｅ２１、Ｅ２２から直流の給電電圧Ｖ２を入力されて、光源２ｂへ供給する点灯電力を生成する。電圧判定部２０１は、給電電圧Ｖ２の値が第１値、及び第１値よりも小さい第２値のいずれであるかを判定する。点灯回路は、給電電圧Ｖ２の値が第１値であれば、点灯電力の値を０より大きい値に調整し、給電電圧Ｖ２の値が第２値であれば点灯電力の値を０に調整する。【選択図】図１
2020068072.tif 000002
【特許請求の範囲】
【請求項１】
一対の給電路に印加された直流の給電電圧を入力されて、光源へ供給する点灯電力を生成する点灯回路と、
前記給電電圧の値が第１値、及び前記第１値よりも小さい第２値のいずれであるかを判定する電圧判定部と、を備え、
前記点灯回路は、前記給電電圧の値が前記第１値であれば、前記点灯電力の値を０より大きい値に調整し、前記給電電圧の値が前記第２値であれば前記点灯電力の値を０に調整する
点灯装置。
【請求項２】
前記電圧判定部は、前記給電電圧の値を検出し、前記給電電圧の値を閾値と比較することで、前記給電電圧の値が第１値、及び前記第２値のいずれであるかを判定する
請求項１の点灯装置。
【請求項３】
前記点灯回路は、前記光源へ供給する点灯電流を定電流制御する定電流回路であり、
前記点灯回路は、前記給電電圧の値が前記第１値であれば、前記点灯電流の値を０より大きい値に調整し、前記給電電圧の値が前記第２値であれば前記点灯電流の値を０に調整する
請求項１又は２の点灯装置。
【請求項４】
前記給電電圧の値は、前記第１値及び前記第２値を交互に繰り返す
請求項１乃至３いずれか一項の点灯装置。
【請求項５】
請求項１乃至４いずれか一項の点灯装置と、
前記点灯装置から前記点灯電力を供給される光源と、
少なくとも前記光源が支持される筐体と、を備える
照明器具。
【請求項６】
請求項１乃至４のいずれか一項の点灯装置と、
前記第１値及び前記第２値を交互に繰り返す前記給電電圧を前記一対の給電路に印加する電源装置と、を備える
照明システム。
【発明の詳細な説明】
【技術分野】
【０００１】
本発明は、一般に、点灯装置、照明器具、及び照明システムに関する。
【背景技術】
【０００２】
従来、ＬＥＤ照明端末に給電線を介して直流電力を供給するＬＥＤコントローラがある。例えば特許文献１では、ＬＥＤ照明端末に接続された給電線にスイッチ回路を設け、ＬＥＤコントローラは、スイッチ回路をオンオフ制御する。すなわち、給電線に印加される直流電圧がＬＥＤコントローラによってパルス制御されることで、給電線に印加される直流電圧の値が切り換わり、直流電圧のオンデューティが制御される。直流電圧のオンデューティが変化すれば、ＬＥＤ照明端末に供給される点灯電力量が変化し、ＬＥＤの点灯が調光制御される。
【先行技術文献】
【特許文献】
【０００３】
【特許文献１】特開２０１３−４８５５６号公報
【発明の概要】
【発明が解決しようとする課題】
【０００４】
給電線に印加される直流の給電電圧がパルス制御されることで、上述のＬＥＤ照明端末（点灯装置）に供給される給電電圧の値は変化し、ＬＥＤ照明端末は調光制御される。この場合、給電電圧の値が小さい期間では、給電線を介してＬＥＤ照明端末に供給される負荷電流が、給電電圧の値が大きい期間に比べて増加し、負荷電流による電気的な損失が増加してしまう。
【０００５】
本発明の目的は、給電電圧の値が変化することで制御され、かつ、給電電圧の値が小さい期間における電気的な損失の増加を抑えることができる点灯装置、照明器具、及び照明システムを提供することにある。
【課題を解決するための手段】
【０００６】
本発明の一態様に係る点灯装置は、一対の給電路に印加された直流の給電電圧を入力されて、光源へ供給する点灯電力を生成する点灯回路と、前記給電電圧の値が第１値、及び前記第１値よりも小さい第２値のいずれであるかを判定する電圧判定部と、を備える。前記点灯回路は、前記給電電圧の値が前記第１値であれば、前記点灯電力の値を０より大きい値に調整し、前記給電電圧の値が前記第２値であれば前記点灯電力の値を０に調整する。
【０００７】
本発明の一態様に係る照明器具は、上述の点灯装置と、前記点灯装置から前記直流電力を供給される光源と、少なくとも前記光源が支持される筐体と、を備える。
【０００８】
本発明の一態様に係る照明システムは、上述の点灯装置と、前記第１値及び前記第２値を交互に繰り返す前記給電電圧を前記一対の給電路に印加する電源装置と、を備える。
【発明の効果】
【０００９】
以上説明したように、本発明では、給電電圧の値が変化することで制御され、かつ、給電電圧の値が小さい期間における電気的な損失の増加を抑えることができるという効果がある。
【図面の簡単な説明】
【００１０】
【図１】図１は、本発明の実施形態に係る点灯装置を備える照明システムを示すブロック図である。
【図２】図２は、同上の電源装置の直流電源を示す回路図である。
【図３】図３は、同上の電源装置の情報取得部を示すブロック図である。
【図４】図４は、同上の電源装置の信号生成回路を示す回路図である。
【図５】図５は、同上の照明システムの電源装置の動作を説明するタイミングチャートである。
【図６】図６は、同上の点灯装置を示すブロック図である。
【図７】図７は、同上の電圧判定部を示す回路図である。
【図８】図８は、同上の定電流回路を示す回路図である。
【図９】図９は、同上の点灯装置の動作を示すタイミングチャートである。
【図１０】図１０は、同上の点灯装置の別の動作を示すタイミングチャートである。
【図１１】図１１は、同上の照明システムの第１変形例を示す回路図である。
【図１２】図１２は、同上の照明システムの第２変形例を示す回路図である。
【図１３】図１３Ａは、同上の点灯システムを備える照明器具を示す断面図である。図１３Ｂは、同上の点灯システムを備える別の照明器具を示す断面図である。
【発明を実施するための形態】
【００１１】
以下の実施形態及び各変形例は、一般に、点灯装置、照明器具、及び照明システムに関する。より詳細には、直流電圧の値を変化させた伝送信号によって制御される点灯装置、照明器具、及び照明システムに関する。
【００１２】
そして、実施形態及び各変形例の点灯装置、照明器具、及び照明システムは、主に、オフィス、工場、店舗、事務所などで用いられる。また、実施形態及び各変形例の点灯装置、照明器具、及び照明システムは、戸建住宅、又は集合住宅の住戸で用いられることも可能である。
【００１３】
（実施形態）
本実施形態の照明システムＡ１は、図１に示すように、電源装置１、照明器具２、及び調光器３を備える。
【００１４】
電源装置１は、直流電源１ａ、信号生成回路１ｂ、出力部１ｃ、情報取得部１ｄ、及び信号制御回路１ｅを有する。
【００１５】
直流電源１ａは、商用電源９の交流電圧Ｖａ（交流電力）を入力されて、交流電圧Ｖａを直流電圧Ｖ１に変換する電力変換処理（ＡＣ／ＤＣ変換）を行い、一対の電路Ｅ１１、Ｅ１２に直流電圧Ｖ１を印加するように構成されている。電路Ｅ１１の電位は、直流電圧Ｖ１の高電位になり、電路Ｅ１２の電位は、直流電圧Ｖ１の低電位になる。すなわち、一対の電路Ｅ１１、Ｅ１２に直流電圧Ｖ１が印加された場合、電路Ｅ１１の電位は、電路Ｅ１２の電位より高くなる。直流電源１ａは、直流電圧Ｖ１の値を所定値に調整する。本実施形態では、直流電圧Ｖ１の値を２４Ｖとしているが、直流電圧Ｖ１の値は特定の値に限定されない。但し、直流電圧Ｖ１の値は安全の観点から、５０Ｖ以下であることが好ましい。なお、商用電源９は、周波数５０Ｈｚ又は６０Ｈｚの交流電源である。
【００１６】
図２は、直流電源１ａの構成例を示す。直流電源１ａは、フィルタ１０１、整流器１０２、コンデンサ１０３、１０７、１１１、トランス１０４、スイッチング素子１０５、ダイオード１０６、抵抗素子１０８、１０９、１１０、シャントレギュレータ１１２、フォトカプラ１１３、及び電源制御部１１４、を有する。
【００１７】
直流電源１ａに入力された交流電圧Ｖａは、フィルタ１０１を介して、整流器１０２によって全波整流される。フィルタ１０１は、例えばノイズ除去用のインダクタ及びコンデンサ、サージアブソーバを有しており、不要な周波数成分（例えば高周波ノイズ）を減衰させる。整流器１０２は、例えばダイオードブリッジで構成された全波整流器である。整流器１０２の出力端間には、入力コンデンサであるコンデンサ１０３が接続され、コンデンサ１０３の両端間には、トランス１０４の一次巻線とスイッチング素子１０５との直列回路が接続される。スイッチング素子１０５は、例えばエンハンスメント形のＮチャネルＭＯＳＦＥＴ（Metal-Oxide-Semiconductor Field-Effect Transistor）である。図２では、コンデンサ１０３の正極にはトランス１０４の一次巻線の一端が接続し、トランス１０４の一次巻線の他端はスイッチング素子１０５のドレインに接続する。スイッチング素子１０５のソースは、コンデンサ１０３の負極に接続する。スイッチング素子１０５のゲートは、電源制御部１１４に接続する。なお、スイッチング素子１０５は、エンハンスメント形のＮチャネルＭＯＳＦＥＴ以外のトランジスタであってもよい。
【００１８】
トランス１０４の二次巻線の一端は、ダイオード１０６のアノードに接続し、ダイオード１０６のカソードは、コンデンサ１０７の正極に接続する。トランス１０４の二次巻線の他端は、コンデンサ１０７の負極に接続する。コンデンサ１０７は、平滑用の出力コンデンサであり、例えば電解コンデンサで構成される。コンデンサ１０７の正極は電路Ｅ１１に接続し、コンデンサ１０７の負極は電路Ｅ１２に接続する。すなわち、コンデンサ１０７の両端電圧が、直流電圧Ｖ１になる。コンデンサ１０７の両端間には、分圧用の抵抗素子１０９、１１０の直列回路が接続されており、抵抗素子１０９がハイサイド側、抵抗素子１１０がローサイド側に位置する。抵抗素子１１０の両端間には、コンデンサ１１１が接続する。さらに、コンデンサ１０７の正極は、抵抗素子１０８、フォトカプラ１１３のフォトダイオード、及びシャントレギュレータ１１２を介して、コンデンサ１１１の負極に接続する。フォトカプラ１１３のフォトトランジスタのコレクタ及びエミッタは、電源制御部１１４の入力ポートに接続している。
【００１９】
ここで、抵抗素子１０９、１１０の接続点の電圧はコンデンサ１１１で平滑されており、コンデンサ１１１の両端電圧は、直流電圧Ｖ１の平均値に相当する。また、直流電圧Ｖ１の高電位とコンデンサ１１１の負極との間には、抵抗素子１０８とフォトカプラ１１３の入力フォトダイオードとシャントレギュレータ１１２との直列回路が接続している。そして、シャントレギュレータ１１２は、シャントレギュレータ１１２の内部で基準電圧を生成しており、コンデンサ１１１の両端電圧と基準電圧との差分に応じて、シャントレギュレータ１１２に流れる電流を調整する。この結果、フォトカプラ１１３のフォトダイオードに流れる電流は、コンデンサ１１１の両端電圧に応じて増減する。そして、電源制御部１１４の入力ポートには、フォトカプラ１１３のフォトトランジスタのコレクタ及びエミッタが接続している。電源制御部１１４は、フォトカプラ１１３のフォトトランジスタに流れる電流を電圧データとして取得することで、直流電圧Ｖ１を監視している。
【００２０】
電源制御部１１４は、電圧データに基づいて、スイッチング素子１０５を高周波でオンオフすることで、交流電圧Ｖａの整流電圧を降圧した直流電圧Ｖ１を生成する。
【００２１】
直流電源１ａでは、トランス１０４、及びフォトカプラ１１３が、直流電源１ａの入力段（交流電圧Ｖａ）と出力段（直流電圧Ｖ１）とを電気的に絶縁する絶縁回路として機能している。したがって、直流電源１ａの入力段と出力段とが電気的に絶縁されていることによって、安全性が向上する。
【００２２】
信号生成回路１ｂは、図１に示すように、第１端Ｔ１、及び第２端Ｔ２を有する。第１端Ｔ１には、電路Ｅ１２が接続される。第２端Ｔ２には、電路Ｅ１３が接続される。信号生成回路１ｂは、一対の電路Ｅ１１、Ｅ１３に直流の給電電圧Ｖ２を印加するように構成されている。電路Ｅ１１の電位は、給電電圧Ｖ２の高電位になり、電路Ｅ１３の電位は、給電電圧Ｖ２の低電位になる。すなわち、一対の電路Ｅ１１、Ｅ１３に給電電圧Ｖ２が印加された場合、電路Ｅ１１の電位は、電路Ｅ１３の電位より高くなる。第１端Ｔ１と第２端Ｔ２との間の電圧（第２端Ｔ２からみた第１端Ｔ１の電圧）を調整電圧Ｖ３とすると、信号生成回路１ｂは、調整電圧Ｖ３の値を変化させることで、給電電圧Ｖ２の値を変化させることができる。
【００２３】
出力部１ｃは、一対の出力端子を有する。一対の出力端子には、一対の電路Ｅ１１、Ｅ１３がそれぞれ接続されて、給電電圧Ｖ２が印加される。一対の出力端子には、一対の給電路Ｅ２１、Ｅ２２がそれぞれ接続されている。電路Ｅ１１は、出力部１ｃを介して給電路Ｅ２１に接続し、電路Ｅ１３は、出力部１ｃを介して給電路Ｅ２２に接続している。さらに、一対の出力端子の間には、コンデンサ１３１（図４参照）が接続されることが好ましい。
【００２４】
一対の給電路Ｅ２１、Ｅ２２の間には、少なくとも１つの照明器具２が接続されている。照明器具２は、電源装置１によって一対の給電路Ｅ２１、Ｅ２２を介して給電電圧Ｖ２を印加され、電源装置１から一対の給電路Ｅ２１、Ｅ２２を介して負荷電流Ｉｏを供給される。つまり、照明器具２は、電源装置１を電源として動作する。電源装置１が照明器具２に供給する電力は直流電力であって、電源装置１から照明器具２への配電は直流配電である。照明器具２は、一対の給電路Ｅ２１、Ｅ２２を介して供給される直流電力によって点灯し、照明の対象となる空間を照明する。なお、図１では、一対の給電路Ｅ２１、Ｅ２２の間に１つの照明器具２が接続されているが、一対の給電路Ｅ２１、Ｅ２２の間には複数の照明器具２が接続されていてもよい。
【００２５】
調光器３は、商用電源９から供給される交流電圧Ｖａを位相制御して、位相制御電圧Ｖｂを生成し、位相制御電圧Ｖｂは情報取得部１ｄに入力される。つまり、調光器３は、位相制御電圧Ｖｂの半波毎の通電期間である導通角を調整し、本実施形態では、位相制御電圧Ｖｂの導通角が、調光レベルの指示値を表す指示情報に相当する。情報取得部１ｄは、調光レベルの指示値を表す指示情報を、位相制御電圧Ｖｂの導通角として受け取る。調光器３は、例えば、ユーザによって操作される例えばロータリー式又はスライド式の操作部を具備しており、ユーザが操作部を操作することで、導通角が調整される。
【００２６】
図３は、情報取得部１ｄの構成例を示す。情報取得部１ｄは、整流器１２１、読取部１２２、及びフォトカプラ１２３を有する。
【００２７】
整流器１２１は、位相制御電圧Ｖｂを全波整流する。読取部１２２は、位相制御電圧Ｖｂの整流電圧と判定基準値とを比較することで、位相制御電圧Ｖｂに同期してフォトカプラ１２３のフォトトランジスタをオン、オフさせる。読取部１２２は、位相制御電圧Ｖｂの半波毎に、導通角の大きさに対応するオンデューティでフォトカプラ１２３のフォトトランジスタをオンさせる。例えば、導通角が増加すると、オンデューティは増加し、導通角が減少すると、オンデューティは減少する。又は、導通角が増加すると、オンデューティは減少し、導通角が減少すると、オンデューティは増加してもよい。フォトカプラ１２３のフォトトランジスタのコレクタ及びエミッタが、信号制御回路１ｅの入力ポートに接続している。すなわち、信号制御回路１ｅの入力ポートには、位相制御電圧Ｖｂの半波毎に導通角に同期してオンオフする調光信号Ｓａが入力される。
【００２８】
信号制御回路１ｅは、情報取得部１ｄから調光信号Ｓａを受け取り、制御信号Ｓｂを信号生成回路１ｂへ出力する。制御信号Ｓｂは、信号生成回路１ｂを制御するための信号である。信号生成回路１ｂは、給電電圧Ｖ２の波形を変化させることで、調光信号Ｓａに基づく調光レベルを指示する伝送信号を照明器具２へ送信する。
【００２９】
信号制御回路１ｅは、コンピュータを備えている。このコンピュータがプログラムを実行することによって、信号制御回路１ｅの一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３０】
図４は、信号生成回路１ｂの構成例を示す。信号生成回路１ｂは、スイッチ素子Ｑ１、及び抵抗素子Ｒ１を備える。スイッチ素子Ｑ１は、例えばエンハンスメント形のＮチャネルＭＯＳＦＥＴである。スイッチ素子Ｑ１のドレイン（スイッチ素子Ｑ１の高電位側の端子）は第２端Ｔ２に接続し、スイッチ素子Ｑ１のソース（スイッチ素子Ｑ１の低電位側の端子）は第１端Ｔ１に接続する。スイッチ素子Ｑ１のドレイン−ソース間には寄生ダイオードが生成されており、寄生ダイオードの順方向は、スイッチ素子Ｑ１のソースからドレインに向かう方向になる。抵抗素子Ｒ１は、スイッチ素子Ｑ１のドレイン−ソース間（第１端Ｔ１と第２端Ｔ２との間）に接続されている。この場合、第１端Ｔ１と第２端Ｔ２との間には、スイッチ素子Ｑ１を通る第１経路Ｙ１と、抵抗素子Ｒ１を通る第２経路Ｙ２とが形成されている。信号生成回路１ｂは、負荷電流Ｉｏが流れる経路が第１経路Ｙ１であるときの調整電圧Ｖ３の値と、負荷電流Ｉｏが流れる経路が第２経路Ｙ２であるときの調整電圧Ｖ３の値とが互いに異なるように動作する。
【００３１】
信号制御回路１ｅは、スイッチ素子Ｑ１のゲートに接続し、スイッチ素子Ｑ１をＰＷＭ（Pulse Width Modulation）制御するように構成されている。信号制御回路１ｅは、スイッチ素子Ｑ１のゲートに、図５の上段に示す制御信号Ｓｂを印加する。信号制御回路１ｅは、制御信号Ｓｂの電圧値（スイッチ素子Ｑ１のゲート電圧）を、スイッチ素子Ｑ１のオン電圧［Ｖｏｎ］（スイッチ素子Ｑ１のゲート・ソース閾値電圧より大きい電圧）に調整することで、スイッチ素子Ｑ１をオンさせる。また、信号制御回路１ｅは、制御信号Ｓｂの電圧値を０Ｖ（又は負の電圧値）に調整することで、スイッチ素子Ｑ１をオフさせる。そして、信号制御回路１ｅは、ＰＷＭ周期Ｗ１に対して制御信号Ｓｂがオン電圧［Ｖｏｎ］になる期間の比率であるオンデューティをＰＷＭ制御する。図５では、ＰＷＭ周期Ｗ１を一定にしており、制御信号Ｓｂがオン電圧［Ｖｏｎ］になるオン期間をＷｏｎとすると、オンデューティはＷｏｎ／Ｗ１になる。また、制御信号Ｓｂが０Ｖになるオフ期間をＷｏｆｆとすると、オフデューティはＷｏｆｆ／Ｗ１になる。制御信号ＳｂのＰＷＭ周波数（ＰＷＭ周期Ｗ１の逆数）は、例えば１．２ｋＨｚであるが、この値に限定されない。
【００３２】
スイッチ素子Ｑ１がオンすると、第１端Ｔ１と第２端Ｔ２との間（電路Ｅ１２と電路Ｅ１３との間）は、スイッチ素子Ｑ１（第１経路Ｙ１）を介して導通する。スイッチ素子Ｑ１のオン抵抗は、抵抗素子Ｒ１の抵抗値に比べて非常に小さく、ほぼ０Ωとみなすことができる。この場合、第２端Ｔ２から流れ込んだ負荷電流Ｉｏは、抵抗素子Ｒ１には殆ど流れず、スイッチ素子Ｑ１を通って第１端Ｔ１から流れ出る。したがって、第１端Ｔ１と第２端Ｔ２との間に発生する調整電圧Ｖ３の値はほぼ０Ｖになる。この結果、スイッチ素子Ｑ１がオンすると、給電電圧Ｖ２の値は、直流電圧Ｖ１の値にほぼ等しい第１値［Ｖ２１］になる（図５参照）。
【００３３】
スイッチ素子Ｑ１がオフすると、第１端Ｔ１と第２端Ｔ２との間は、抵抗素子Ｒ１（第２経路Ｙ２）のみを介して電気的につながる。この場合、第２端Ｔ２から流れ込んだ負荷電流Ｉｏは、抵抗素子Ｒ１を通って第１端Ｔ１から流れ出る。したがって、抵抗素子Ｒ１の両端間には、負荷電流Ｉｏと抵抗素子Ｒ１の抵抗値との積に等しい電圧降下が発生する。この抵抗素子Ｒ１の電圧降下が、第１端Ｔ１と第２端Ｔ２との間に発生する調整電圧Ｖ３になる。この結果、スイッチ素子Ｑ１がオンすると、図５の下段に示す給電電圧Ｖ２の値は、直流電圧Ｖ１の値から調整電圧Ｖ３の値を引いた［Ｖ２２］になる（図５参照）。
【００３４】
スイッチ素子Ｑ１がオフしたときの調整電圧Ｖ３の値［Ｖ３１］は、スイッチ素子Ｑ１がオンしたときの調整電圧Ｖ３の値（ほぼ０Ｖ）よりも大きくなる。したがって、給電電圧Ｖ２の第２値［Ｖ２２］は、給電電圧Ｖ２の第１値［Ｖ２１］よりも小さくなる（図５参照）。例えば、給電電圧Ｖ２の第１値［Ｖ２１］は２４Ｖ、給電電圧Ｖ２の第２値［Ｖ２２］は２０Ｖとすることが好ましい。但し、給電電圧Ｖ２の第１値［Ｖ２１］、及び給電電圧Ｖ２の第２値［Ｖ２２］はそれぞれ、特定の値に限定されることはなく、［Ｖ２１］＞［Ｖ２２］の関係を満たせばよい。
【００３５】
また、給電電圧Ｖ２の第２値［Ｖ２２］は、以下のように規定することもできる。スイッチ素子Ｑ１がオフのときの負荷の抵抗成分（電源装置１の出力部１ｃから給電路Ｅ２１、Ｅ２２側をみた場合の抵抗成分）の値を［Ｒ０］とし、抵抗素子Ｒ１の抵抗値を［Ｒ１］とする。この場合、給電電圧Ｖ２の第２値［Ｖ２２］は、［Ｖ２１］・｛［Ｒ０］／（Ｒ０＋［Ｒ１］）｝になる。
【００３６】
上述のように、信号制御回路１ｅは、スイッチ素子Ｑ１をＰＷＭ制御することで、負荷電流Ｉｏが通る第１端Ｔ１と第２端Ｔ２との間の経路を、第１経路Ｙ１及び第２経路Ｙ２のいずれかに切り換える。信号制御回路１ｅは、第１端Ｔ１と第２端Ｔ２との間の経路を、第１経路Ｙ１及び第２経路Ｙ２のいずれかに切り換えることで、給電電圧Ｖ２にＰＷＭ変調された伝送信号を重畳させて、給電路Ｅ２１、Ｅ２２を介して照明器具２へ伝送信号を送信できる。この場合、給電電圧Ｖ２の値は、ＰＷＭ周期Ｗ１毎に［Ｖ２１］になる。そして、給電電圧Ｖ２の値は、制御信号Ｓｂのオン期間Ｗｏｎに亘って［Ｖ２１］になる。すなわち、給電電圧Ｖ２の値は、第１値［Ｖ２１］及び第２値［Ｖ２２］を交互に繰り返す。したがって、ＰＷＭ周期Ｗ１に対して給電電圧Ｖ２の値が［Ｖ２１］になる期間の比率である給電電圧Ｖ２のオンデューティは、制御信号Ｓｂのオンデューティと等しくなる（又はほぼ等しくなる）。
【００３７】
上述の信号生成回路１ｂは、スイッチ素子Ｑ１及び抵抗素子Ｒ１を有して、スイッチ素子Ｑ１がオンオフすることで、給電電圧Ｖ２に伝送信号を重畳できる。すなわち、信号生成回路１ｂは、給電電圧Ｖ２の値を、従来に比べて簡易な構成及び制御で切り換えることができる。したがって、電源装置１は、従来に比べて簡易な構成及び制御で、負荷電流Ｉｏを供給するとともに伝送信号を送信することができる。
【００３８】
また、給電電圧Ｖ２の第２値［Ｖ２２］は、第１値［Ｖ２１］よりも小さいが、０Ｖよりは大きい。さらに、給電電圧Ｖ２の第２値［Ｖ２２］は、照明器具２の後述の点灯装置２ａの動作を可能にする大きさである。したがって、電源装置１は、給電電圧Ｖ２のオンデューティが小さい場合でも、点灯装置２ａを動作させるのに十分な動作電力を点灯装置２ａへ供給することができる。
【００３９】
照明器具２は、図６に示すように、点灯装置２ａ、及び光源２ｂを備える。点灯装置２ａは、電圧判定部２０１、及び定電流回路２０２を具備する。光源２ｂは、複数の固体発光素子を有している。本実施形態において複数の固体発光素子の各々は、ＬＥＤ（Light Emitting Diode）であり、複数の固体発光素子は、直列接続されている。
【００４０】
なお、光源２ｂは、固体発光素子としてＬＥＤを有する構成に限らない。光源２ｂは、例えば、有機ＥＬ（Organic Electro Luminescence、OEL）、又は半導体レーザダイオード（Laser Diode、LD）などの他の固体発光素子を有していてもよい。また、固体発光素子の数は、複数に限らず、１つであってもよい。複数の固体発光素子の電気的な接続関係は直列接続であるが、この接続関係に限らない。複数の固体発光素子の電気的な接続関係は、並列接続であってもよいし、直列接続と並列接続とを組み合わせた接続関係であってもよい。
【００４１】
電圧判定部２０１は、一対の給電路Ｅ２１、Ｅ２２の給電電圧Ｖ２を監視しており、ＰＷＭ変調された伝送信号から伝送データを読み取ることができる。つまり、電圧判定部２０１は、給電電圧Ｖ２の値の変化に基づいて、給電電圧Ｖ２のオン期間Ｗｏｎ（給電電圧Ｖ２のオンデューティ）を検出する。電圧判定部２０１は、給電電圧Ｖ２のオン期間Ｗｏｎ（給電電圧Ｖ２のオンデューティ）の情報を含むＰＷＭ信号Ｓｃを定電流回路２０２へ出力する。
【００４２】
図７は、電圧判定部２０１の回路構成の一例を示す。
【００４３】
電圧判定部２０１は、一対の給電路Ｅ２１、Ｅ２２の間に接続されて給電電圧Ｖ２を入力され、ＰＷＭ信号Ｓｃを定電流回路２０２へ出力する。電圧判定部２０１は、コンデンサ２２０、抵抗素子２２１、２２２、２２４、２２５、２２７、２２８、２２９、スイッチ素子２２３、２２６、及びダイオード２３０を備える。スイッチ素子２２３、２２６は、エンハンスメント形のＮチャネルＭＯＳＦＥＴである。
【００４４】
コンデンサ２２０、及び抵抗素子２２１、２２２は、給電路Ｅ２１からＥ２２に向かってコンデンサ２２０、抵抗素子２２１、抵抗素子２２２の順に直列接続されている。抵抗素子２２４、２２５は、給電路Ｅ２１からＥ２２に向かって抵抗素子２２４、抵抗素子２２５の順に直列接続されている。抵抗素子２２７、２２８、２２９は、給電路Ｅ２１からＥ２２に向かって抵抗素子２２７、抵抗素子２２８、抵抗素子２２９の順に直列接続されている。ダイオード２３０は、抵抗素子２２８、２２９の直列回路に並列接続される。ダイオード２３０のアノードは給電路Ｅ２２に接続し、ダイオード２３０のカソードは、抵抗素子２２７、２２８の接続点に接続している。スイッチ素子２２３のドレインは、抵抗素子２２４、２２５の接続点に接続し、スイッチ素子２２３のソースは、給電路Ｅ２２に接続し、スイッチ素子２２３のゲートは、抵抗素子２２１、２２２の接続点に接続している。スイッチ素子２２６のドレインは、抵抗素子２２７、２２８の接続点に接続し、スイッチ素子２２６のソースは、給電路Ｅ２２に接続し、スイッチ素子２２６のゲートは、抵抗素子２２４、２２５の接続点に接続している。そして、抵抗素子２２９の両端電圧Ｖｃが、ＰＷＭ信号Ｓｃとして出力される。
【００４５】
抵抗素子２２９の両端電圧Ｖｃの値は、給電電圧Ｖ２の値が［Ｖ２１］のときに０Ｖになり、給電電圧Ｖ２の値が［Ｖ２２］のときに正値（０Ｖより大きい値であり、例えば２Ｖ）になる。すなわち、ＰＷＭ信号Ｓｃは、給電電圧Ｖ２のオン期間Ｗｏｎ及びオフ期間Ｗｏｆｆを反転させたアナログのＰＷＭ信号である。給電電圧Ｖ２のオン期間ＷｏｎがＰＷＭ信号Ｓｃのオフ期間（両端電圧Ｖｃが０Ｖである期間）に等しくなり、給電電圧Ｖ２のオフ期間ＷｏｆｆがＰＷＭ信号Ｓｃのオン期間（両端電圧Ｖｃが正値である期間）に等しくなる。
【００４６】
また、電圧判定部２０１は、給電電圧Ｖ２の電圧値を閾値と比較する比較器を具備して、比較器の出力をＰＷＭ信号Ｓｃとしてもよい。この場合、閾値は、第１値［Ｖ２１］より小さく、第２値［Ｖ２２］より大きい値に予め設定される。そして、電圧判定部２０１は、給電電圧Ｖ２の値が閾値以上であれば、ＰＷＭ信号Ｓｃの電圧値を０Ｖに調整し、給電電圧Ｖ２の値が閾値未満であれば、ＰＷＭ信号Ｓｃの値を正値に調整する。あるいは、電圧判定部２０１は、給電電圧Ｖ２の値が閾値以上であれば、ＰＷＭ信号Ｓｃの電圧値を正値に調整し、給電電圧Ｖ２の値が閾値未満であれば、ＰＷＭ信号Ｓｃの値０Ｖに調整してもよい。
【００４７】
定電流回路２０２は、一対の給電路Ｅ２１、Ｅ２２に印加された給電電圧Ｖ２を入力されて、光源２ｂへ点灯電力を供給して光源２ｂを点灯させる点灯回路である。
【００４８】
図８は、定電流回路２０２の回路構成の一例を示す。
【００４９】
定電流回路２０２は、抵抗素子２１１−２１５、オペアンプ２１６、トランジスタ２１７、及びレギュレータ２１８を備える。トランジスタ２１７は、Ｎチャネルのエンハンスメント型のＭＯＳＦＥＴであり、トランジスタ２１７のドレインは、光源２ｂのカソード側に接続されている。光源２ｂのカソード側は、給電路Ｅ２１に接続されている。トランジスタ２１７のソースは、抵抗素子２１３の一端に接続している。抵抗素子２１３の他端は、給電路Ｅ２２に接続している。すなわち、給電路Ｅ２１、Ｅ２２の間には、光源２ｂとトランジスタ２１７と抵抗素子２１３との直列回路が接続している。そして、トランジスタ２１７のゲートは、オペアンプ２１６の出力端子に接続しており、トランジスタ２１７の電圧降下（トランジスタ２１７のドレイン−ソース間電圧）をオペアンプ２１６によって制御されることで、光源２ｂに流れる点灯電流ＩＬ１を調整できる。
【００５０】
オペアンプ２１６の−側入力端子には、抵抗素子２１４を介してトランジスタ２１７のソースが接続されている。さらに、オペアンプ２１６の−側入力端子と出力端子との間には、抵抗素子２１５が接続されている。すなわち、トランジスタ２１７のソースと抵抗素子２１３との接続点は、抵抗素子２１４を介してオペアンプ２１６の−側入力端子に接続している。また、オペアンプ２１６の＋側入力端子には、調光基準電圧Ｖｔ２が入力される。そして、オペアンプ２１６の出力端子は、トランジスタ２１７のゲートに接続している。そして、オペアンプ２１６は、調光基準電圧Ｖｔ２に応じてトランジスタ２１７のゲート電圧を制御することで、光源２ｂを介してトランジスタ２１７と抵抗素子２１３との直列回路に流れる点灯電流ＩＬ１を調節できる（定電流制御）。
【００５１】
具体的に、オペアンプ２１６の＋側入力端子には調光基準電圧Ｖｔ２が入力されている。そして、オペアンプ２１６は、イマジナリショート（Imaginary Short）の作用によって、オペアンプ２１６の−側入力端子の電位も調光基準電圧Ｖｔ２に等しくなるように出力端子の電圧を調整する。つまり、トランジスタ２１７のソース電圧が調光基準電圧Ｖｔ２に一致するように、オペアンプ２１６は出力端子の電圧（トランジスタ２１７のゲート電圧）を調整する。
【００５２】
調光基準電圧Ｖｔ２は、レギュレータ２１８、及び抵抗素子２１１、２１２によって生成される。レギュレータ２１８は、三端子レギュレータ、シャントレギュレータ、又はＩＰＤ（Intelligent Power Device）などであり、給電路Ｅ２１、Ｅ２２の間に接続される。レギュレータ２１８の出力端と給電路Ｅ２２との間には、抵抗素子２１１、２１２の直列回路が接続されている。レギュレータ２１８は、給電電圧Ｖ２から制御電圧Ｖｔ１を生成し、抵抗素子２１１、２１２の直列回路の両端間に制御電圧Ｖｔ１を印加する。制御電圧Ｖｔ１は、抵抗素子２１１、２１２によって分圧され、抵抗素子２１２の両端電圧が、調光基準電圧Ｖｔ２としてオペアンプ２１６の＋側入力端子に入力される。
【００５３】
上述の調光基準電圧Ｖｔ２は、点灯電流ＩＬ１の目標値（目標電流値）に相当し、定電流回路２０２は、点灯電流ＩＬ１の値を目標電流値に一致させるように、上述の定電流制御を行う。そして、定電流回路２０２は、ＰＷＭ信号Ｓｃに基づいて、定電流制御を行う動作期間、及び定電流制御を行わずに点灯電流を０にする停止期間を設定する。
【００５４】
定電流回路２０２は、例えば、抵抗素子２１１−２１５、オペアンプ２１６、及びトランジスタ２１７を有する制御ＩＣ２１９を備えており、制御ＩＣ２１９にＰＷＭ信号Ｓｃが入力される。制御ＩＣ２１９は、ＰＷＭ信号Ｓｃの電圧値がＨ（High）レベルである場合（ＰＷＭ信号Ｓｃのオン期間）、定電流回路２０２による定電流制御を停止させる。制御ＩＣ２１９は、ＰＷＭ信号Ｓｃの電圧値がＬ（Low）レベルである場合（ＰＷＭ信号Ｓｃのオフ期間）、定電流回路２０２による定電流制御を実行する。制御ＩＣ２１９は、例えば、定電流制御を停止させる場合、オペアンプ２１６の出力端子の電圧を強制的に０Ｖ以下にまで低下させることで、トランジスタ２１７をオフ状態に維持する。あるいは、制御ＩＣ２１９は、定電流制御を停止させる場合、調光基準電圧Ｖｔ２を強制的に０Ｖにまで低下させることで、トランジスタ２１７をオフ状態に維持してもよい。なお、制御ＩＣ２１９による定電流制御の停止動作は、上述の各形態に限定されない。
【００５５】
ＰＷＭ信号Ｓｃのオフデューティは、給電電圧Ｖ２のオンデューティと等しく（ＰＷＭ信号Ｓｃのオフ期間は、給電電圧Ｖ２のオン期間Ｗｏｎに等しく）、定電流回路２０２は、ＰＷＭ周期Ｗ１毎に動作期間を開始して定電流制御を行い、オン期間Ｗｏｎ（図５参照）に亘って定電流制御を行う。そして、定電流回路２０２は、オン期間Ｗｏｎが終了して、給電電圧Ｖ２のオフ期間Ｗｏｆｆに移行すると、停止期間を開始して、オフ期間Ｗｏｆｆに亘って定電流制御を行わずに点灯電流ＩＬ１を０にする。そして、ＰＷＭ周期Ｗ１毎に動作期間を繰り返す。このとき、ＰＷＭ周期Ｗ１に対する動作期間の比率は、給電電圧Ｖ２のオンデューティと等しくなる。
【００５６】
図９は、オンデューティが５０％の給電電圧Ｖ２の波形を示す。この場合、ＰＷＭ周期Ｗ１に対して、オンデューティ５０％に対応するオン期間Ｗｏｎ１が動作期間であり、定電流回路２０２は、オン期間Ｗｏｎ１に定電流制御を行って、光源２ｂへ点灯電流ＩＬ１を供給する。ＰＷＭ周期Ｗ１に対して、オフデューティ５０％に対応するオフ期間Ｗｏｆｆ１が停止期間であり、定電流回路２０２は、オフ期間Ｗｏｆｆ１に定電流制御を停止して、点灯電流ＩＬ１を０にする。
【００５７】
図１０は、オンデューティが１０％の給電電圧Ｖ２の波形を示す。この場合、ＰＷＭ周期Ｗ１に対して、オンデューティ１０％に対応するオン期間Ｗｏｎ２が動作期間であり、定電流回路２０２は、オン期間Ｗｏｎ２に定電流制御を行って、光源２ｂへ点灯電流ＩＬ１を供給する。ＰＷＭ周期Ｗ１に対して、オフデューティ９０％に対応するオフ期間Ｗｏｆｆ２が停止期間であり、定電流回路２０２は、オフ期間Ｗｏｆｆ２に定電流制御を停止して、点灯電流ＩＬ１を０にする。
【００５８】
したがって、光源２ｂには、ＰＷＭ周期Ｗ１のうち、オン期間Ｗｏｎ（Ｗｏｎ１、Ｗｏｎ２）に点灯電流ＩＬ１が供給され、オフ期間Ｗｏｆｆ（Ｗｏｆｆ１、Ｗｏｆｆ２）では点灯電流ＩＬ１が供給されない。オン期間Ｗｏｎが長いほど（オンデューティが大きいほど）、光源２ｂの調光レベルは高くなる。オン期間Ｗｏｎが短いほど（オンデューティが小さいほど）、光源２ｂの調光レベルは低くなる。すなわち、定電流回路２０２は、ＰＷＭ調光を行う。
【００５９】
ここで、比較例として、点灯回路が、ＰＷＭ信号Ｓｃに応じて目標電流値を可変として、点灯電流ＩＬ１の大きさを調整し、光源２ｂを振幅調光する構成を挙げる。この比較例では、点灯電流ＩＬ１は、ＰＷＭ信号Ｓｃのオン期間及びオフ期間の両方で流れ続ける。この結果、給電電圧Ｖ２の値が第２値［Ｖ２２］である場合、給電電圧Ｖ２の値が第１値［Ｖ２１］である場合に比べて、負荷電流Ｉｏが大きくなる。この結果、給電電圧Ｖ２の値が第２値［Ｖ２２］である場合に負荷電流Ｉｏによって発生する点灯装置の電気的な損失は、給電電圧Ｖ２の値が第１値［Ｖ２１］である場合に比べて増加する。
【００６０】
一方、本実施形態の点灯装置２ａは、給電電圧Ｖ２のオンデューティを反映させたＰＷＭ信号Ｓｃに応じて定電流回路２０２の定電流制御を実行又は停止することで、光源２ｂをＰＷＭ調光する。したがって、点灯装置２ａは、給電電圧Ｖ２の値が変化することで制御（調光制御）される。さらに、点灯装置２ａでは、給電電圧Ｖ２の値が小さい期間（給電電圧Ｖ２が第２値［Ｖ２２］であるオフ期間Ｗｏｆｆ）において、定電流回路２０２による定電流制御が停止する。この結果、点灯装置２ａは、給電電圧Ｖ２の値が小さい期間における電気的な損失の増加を抑えることができる。
【００６１】
また、電圧判定部２０１は、給電電圧Ｖ２のオンデューティを反映させたＰＷＭ信号Ｓｃを生成する。定電流回路２０２は、給電電圧Ｖ２のオン期間Ｗｏｎを動作期間に設定する。すなわち、定電流回路２０２の動作期間がＰＷＭ信号Ｓｃに同期して設定されることで、動作期間は給電電圧Ｖ２のオン期間Ｗｏｎに同期する。したがって、電圧判定部２０１及び定電流回路２０２での信号処理は簡易な信号処理になり、電圧判定部２０１及び定電流回路２０２の各信号処理回路は、ディスクリート部品、ロジックＩＣ、又は制御用ＩＣ（Integrated Circuit）などで構成可能になる。すなわち、点灯装置２ａは、プログラムを実行することで動作するプロセッサを備える必要はなく、構成の簡略化を図ることができる。
【００６２】
なお、電圧判定部２０１は、給電電圧Ｖ２のオンデューティと等しいオンデューティのＰＷＭ信号Ｓｃを生成してもよい（給電電圧Ｖ２のオン期間ＷｏｎがＰＷＭ信号Ｓｃのオン期間と等しくなる）。この場合、制御ＩＣ２１９は、ＰＷＭ信号Ｓｃの電圧値がＨ（High）レベルである場合（ＰＷＭ信号Ｓｃのオン期間）、定電流回路２０２による定電流制御を実行する。制御ＩＣ２１９は、ＰＷＭ信号Ｓｃの電圧値がＬ（Low）レベルである場合（ＰＷＭ信号Ｓｃのオフ期間）、定電流回路２０２による定電流制御を停止させる。
【００６３】
また、信号生成回路１ｂのスイッチ素子Ｑ１がオフのときに、照明器具２の定電流制御が停止して、負荷電流Ｉｏが減少すると、抵抗素子Ｒ１での消費電力（＝Ｉｏ・［Ｒ１］）も低減できる。但し、光源２ｂが発する光のちらつきを人の目に感じさせないようにするためには、制御信号ＳｂのＰＷＭ周波数は、５００Ｈｚ以上であることが好ましい。
【００６４】
また、点灯装置２ａは、定電流回路２０２の代わりに定電圧回路を備えて、光源２ｂに印加する電圧（点灯電圧）をＰＷＭ制御してもよい。
【００６５】
また、スイッチ素子Ｑ１は、エンハンスメント形のＮチャネルＭＯＳＦＥＴに限定されない。スイッチ素子Ｑ１は、例えば、エンハンスメント形のＰチャネルＭＯＳＦＥＴ、デプレッション型のＭＯＳＦＥＴ、ジャンクションＦＥＴ、バイポーラトランジスタ、又はサイリスタなどの他のスイッチ素子であってもよい。
【００６６】
また、信号制御回路１ｅは、スイッチ素子Ｑ１の駆動回路を信号制御回路１ｅの内部に備えているが、信号制御回路１ｅの外部に備えてもよい。
【００６７】
また、情報取得部１ｄが受け取る指示情報は、位相制御電圧Ｖｂの導通角に限定されない。例えば、情報取得部１ｄは、外部のコントローラから、所定の変調方式で変調されたデジタル信号又はアナログ信号を受け取り、デジタル信号又はアナログ信号を復調することで、指示情報を取得してもよい。外部のコントローラから情報取得部１ｄへの信号伝送は、有線通信及び無線通信のいずれであってもよい。有線通信は、ツイストペアケーブル、専用通信線、又はＬＡＮ（Local Area Network）ケーブルなどを介して行われる。無線通信は、無線ＬＡＮ、小電力無線、又は赤外線通信などによって行われる。
【００６８】
また、一対の給電路Ｅ２１、Ｅ２２に印加された給電電圧Ｖ２を入力されて、光源２ｂへ点灯電力を供給する点灯回路は、定電流回路２０２以外であってもよい。点灯回路は、例えば、降圧コンバータ、又は昇圧コンバータなどを有する構成であってもよい。
【００６９】
（第１変形例）
図１１は、信号生成回路１ｂの第１変形例を示す。
【００７０】
第１変形例の信号生成回路１ｂは、スイッチ素子Ｑ１、制御電源Ｋ１、コンデンサＣ１、及びダイオードＤ２を備える。電路Ｅ１１と電路Ｅ１２との間には、制御電源Ｋ１とコンデンサＣ１との直列回路が接続されている。制御電源Ｋ１は、降圧チョッパー回路、シリーズレギュレータ、又は３端子レギュレータなどを有しており、直流電圧Ｖ１を入力として、直流の制御電圧Ｖｄを出力する。制御電圧Ｖｄは、コンデンサＣ１の両端間に印加される。ダイオードＤ２のアノードは、スイッチ素子Ｑ１のドレインに接続し、ダイオードＤ２のカソードは、コンデンサＣ１の正極（制御電圧Ｖｄの高電位）に接続する。すなわち、第１端Ｔ１と第２端Ｔ２との間には、コンデンサＣ１とダイオードＤ２との直列回路が接続されている。この場合、第１端Ｔ１と第２端Ｔ２との間には、スイッチ素子Ｑ１を通る第１経路Ｙ１と、コンデンサＣ１とダイオードＤ２との直列回路を通る第２経路Ｙ２とが形成されている。
【００７１】
スイッチ素子Ｑ１がオンすると、第１端Ｔ１と第２端Ｔ２との間は、スイッチ素子Ｑ１（第１経路Ｙ１）を介して導通する。第２端Ｔ２から流れ込んだ負荷電流Ｉｏがスイッチ素子Ｑ１を通って第１端Ｔ１から流れ出たとしても、スイッチ素子Ｑ１のオン抵抗によって生じるスイッチ素子Ｑ１の両端電圧（ドレイン−ソース間電圧）は、制御電圧ＶｄとダイオードＤ２の順方向電圧との和に比べて小さい。したがって、負荷電流Ｉｏは、ツェナダイオードＺＤ１には殆ど流れず、第１端Ｔ１と第２端Ｔ２との間に発生する調整電圧Ｖ３の値はほぼ０になる。この結果、スイッチ素子Ｑ１がオンすると、給電電圧Ｖ２の値は、直流電圧Ｖ１の値にほぼ等しい［Ｖ２１］になる（図５参照）。
【００７２】
スイッチ素子Ｑ１がオフすると、第１端Ｔ１と第２端Ｔ２との間は、コンデンサＣ１とダイオードＤ２との直列回路（第２経路Ｙ２）のみを介して電気的につながる。この場合、第２端Ｔ２から流れ込んだ負荷電流Ｉｏは、ダイオードＤ２及びコンデンサＣ１を通って第１端Ｔ１から流れ出る。このとき、コンデンサＣ１の両端間には制御電源Ｋ１によって制御電圧Ｖｄが印加されており、この制御電圧ＶｄとダイオードＤ２の順方向電圧との和が、第１端Ｔ１と第２端Ｔ２との間に発生する調整電圧Ｖ３になる。この結果、スイッチ素子Ｑ１がオンすると、給電電圧Ｖ２の値は、直流電圧Ｖ１の値から調整電圧Ｖ３の値を引いた［Ｖ２２］になる（図５参照）。
【００７３】
したがって、信号制御回路１ｅは、スイッチ素子Ｑ１をＰＷＭ制御することで、給電電圧Ｖ２にＰＷＭ変調された伝送信号を重畳させて、給電路Ｅ２１、Ｅ２２を介して照明器具２へ伝送信号を送信できる。
【００７４】
上述の信号生成回路１ｂは、スイッチ素子Ｑ１、制御電源Ｋ１、コンデンサＣ１、及びダイオードＤ２を有して、スイッチ素子Ｑ１がオンオフすることで、給電電圧Ｖ２に伝送信号を重畳できる。したがって、電源装置１は、従来に比べて簡易な構成及び制御で、負荷電流Ｉｏを供給するとともに伝送信号を送信することができる。
【００７５】
（第２変形例）
また、信号生成回路１ｂは、抵抗素子Ｒ１（図４参照）を、ダイオードユニットに置き換えてもよい。ダイオードユニットは、複数のダイオードの直列回路で構成されている。ダイオードユニットでは、隣り合う一対のダイオードのうち一方のダイオードのカソードが、他方のダイオードのアノードに接続している。そして、ダイオードユニットの一端のダイオードのカソードが第１端Ｔ１に接続し、ダイオードユニットの他端のダイオードのアノードが第２端Ｔ２に接続する。すなわち、ダイオードユニットは、第２端Ｔ２から第１端Ｔ１に向かって順方向となるように、第１端Ｔ１と第２端Ｔ２との間に接続されている。この場合、第１端Ｔ１と第２端Ｔ２との間には、スイッチ素子Ｑ１を通る第１経路Ｙ１と、ダイオードユニットＤ１を通る第２経路Ｙ２とが形成されている。
【００７６】
（第３変形例）
また、信号生成回路１ｂは、抵抗素子Ｒ１（図４参照）を、ツェナダイオードに置き換えてもよい。そして、ツェナダイオードのアノードが第１端Ｔ１に接続し、ツェナダイオードのカソードが第２端Ｔ２に接続する。すなわち、ツェナダイオードは、第２端Ｔ２から第１端Ｔ１に向かって逆方向となるように、第１端Ｔ１と第２端Ｔ２との間に接続されている。この場合、第１端Ｔ１と第２端Ｔ２との間には、スイッチ素子Ｑ１を通る第１経路Ｙ１と、ツェナダイオードを通る第２経路Ｙ２とが形成されている。
【００７７】
（第４変形例）
第４変形例の電源装置１では、図１２に示すように、電路Ｅ１１、Ｅ１２に対する信号生成回路１ｂの接続形態が、上述の実施形態、及び第１−第３変形例とは異なる。第４変形例では、信号生成回路１ｂの第１端Ｔ１には、電路Ｅ１１が接続される。第２端Ｔ２には、電路Ｅ１４が接続される。信号生成回路１ｂは、一対の電路Ｅ１４、Ｅ１２に直流の給電電圧Ｖ２を印加するように構成されている。電路Ｅ１４の電位は、給電電圧Ｖ２の高電位になり、電路Ｅ１２の電位は、給電電圧Ｖ２の低電位になる。すなわち、一対の電路Ｅ１４、Ｅ１２に給電電圧Ｖ２が印加された場合、電路Ｅ１４の電位は、電路Ｅ１２の電位より高くなる。第１端Ｔ１と第２端Ｔ２との間の電圧（第２端Ｔ２からみた第１端Ｔ１の電圧）を調整電圧Ｖ３とすると、信号生成回路１ｂは、調整電圧Ｖ３の値を変化させることで、給電電圧Ｖ２の値を変化させることができる。
【００７８】
出力部１ｃの一対の出力端子には、一対の電路Ｅ１４、Ｅ１２がそれぞれ接続されて、給電電圧Ｖ２が印加される。一対の出力端子には、一対の給電路Ｅ２１、Ｅ２２がそれぞれ接続されている。電路Ｅ１４は、出力部１ｃを介して給電路Ｅ２１に接続し、電路Ｅ１２は、出力部１ｃを介して給電路Ｅ２２に接続している。
【００７９】
この場合も、信号制御回路１ｅが信号生成回路１ｂを制御して、調整電圧Ｖ３の値を変化させることで、給電電圧Ｖ２の値を変化させることができる。
【００８０】
なお、第４変形例の信号生成回路１ｂは、上述の実施形態、及び第１−第３変形例のいずれかの信号生成回路１ｂと同様の構成を備えることが好ましい。
【００８１】
（照明器具）
図１３Ａは、天井パネル５に埋込配設されるダウンライトである照明器具２Ａを示す。照明器具２Ａは、上述の点灯装置２ａと、上述の光源２ｂと、筐体４３、４４とを備える。筐体４３は、アルミニウムなどの金属によって、上面が閉塞され、下面が開口した有底の円筒形状に形成されている。筐体４３は光源２ｂを支持し、筐体４３の上底面には、光源２ｂが取り付けられている。光源２ｂは、基板上に複数のＬＥＤが実装されている。また、筐体４３の下面開口は円板状のカバー４５で閉塞されている。カバー４５は、ガラス又はポリカーボネートなどの透光性材料で形成されている。点灯装置２ａは、矩形箱状に形成された金属製の筐体４４に収納され、筐体４４に支持されており、天井パネル５の上面に配置されている。点灯装置２ａは、電気ケーブル４１及びコネクタ４２を介して光源２ｂに電気的に接続されている。
【００８２】
図１３Ｂは、天井パネル５に埋込配設される別のダウンライトである照明器具２Ｂを示す。照明器具２Ｂは、上述の点灯装置２ａと、上述の光源２ｂと、筐体７２とを備える。筐体７２は、アルミニウムなどの金属によって、上面が閉塞され、下面が開口した有底の円筒形状に形成されている。筐体７２の下面開口は、円板状のカバー７３で閉塞されている。カバー７３は、ガラス又はポリカーボネートなどの透光性材料で形成されている。筐体７２内は、円板状の仕切板７４によって上下に分割されている。仕切板７４の上面側には、点灯装置２ａが配置されており、筐体７２は点灯装置２ａを支持している。仕切板７４の下面には、光源２ｂが配置されている。点灯装置２ａは、仕切板７４の通線孔７５を通る電気ケーブル７１によって、光源２ｂと電気的に接続されている。
【００８３】
照明器具２Ａ、２Ｂのそれぞれは、上述の点灯装置２ａを備えるので、給電電圧Ｖ２の値が変化することで制御され、かつ、給電電圧Ｖ２の値が小さい期間（オフ期間Ｗｏｆｆ）における電気的な損失の増加を抑えることができる。
【００８４】
以上のように、実施形態に係る第１の態様の点灯装置（２ａ）は、点灯回路（定電流回路２０２）と、電圧判定部（２０１）と、を備える。点灯回路（２０２）は、一対の給電路（Ｅ２１、Ｅ２２）に印加された直流の給電電圧（Ｖ２）を入力されて、光源（２ｂ）へ供給する点灯電力を生成する。電圧判定部（２０１）は、給電電圧（Ｖ２）の値が第１値（［Ｖ２１］）、及び第１値（［Ｖ２１］）よりも小さい第２値（［Ｖ２２］）のいずれであるかを判定する。点灯回路（２０２）は、給電電圧（Ｖ２）の値が第１値（［Ｖ２１］）であれば、点灯電力の値を０より大きい値（正値）に調整し、給電電圧（Ｖ２）の値が第２値（［Ｖ２２］）であれば点灯電力の値を０に調整する。
【００８５】
上述の点灯装置（２ａ）は、給電電圧（Ｖ２）の値が変化することで制御され、かつ、給電電圧（Ｖ２）の値が小さい期間（オフ期間Ｗｏｆｆ）における電気的な損失の増加を抑えることができる。
【００８６】
また、実施形態に係る第２の態様の点灯装置（２ａ）では、第１の態様において、電圧判定部（２０１）は、給電電圧（Ｖ２）の値を検出し、給電電圧（Ｖ２）の値を閾値と比較することで、給電電圧（Ｖ２）の値が第１値（［Ｖ２１］）、及び第２値（［Ｖ２２］）のいずれであるかを判定することが好ましい。
【００８７】
上述の点灯装置（２ａ）は、給電電圧（Ｖ２）の値を容易に判定できる。
【００８８】
また、実施形態に係る第３の態様の点灯装置（２ａ）では、第１又は第２の態様において、点灯回路（２０２）は、光源（２ｂ）へ供給する点灯電流（ＩＬ１）を定電流制御する定電流回路（２０２）であることが好ましい。点灯回路（２０２）は、給電電圧（Ｖ２）の値が第１値（［Ｖ２１］）であれば、点灯電流（ＩＬ１）の値を０より大きい値に調整し、給電電圧（Ｖ２）の値が第２値（［Ｖ２２］）であれば点灯電流（ＩＬ１）の値を０に調整する。
【００８９】
上述の点灯装置（２ａ）は、光源（２ｂ）をＰＷＭ調光できる。
【００９０】
また、実施形態に係る第４の態様の点灯装置（２ａ）では、第１乃至第３の態様のいずれか一つにおいて、給電電圧（Ｖ２）の値は、第１値（［Ｖ２１］）及び第２値（［Ｖ２２］）を交互に繰り返すことが好ましい。
【００９１】
上述の点灯装置（２ａ）は、給電電圧（Ｖ２）の値が変化することで制御される。
【００９２】
また、実施形態に係る第５の態様の照明器具（２Ａ、２Ｂ）は、第１乃至第４の態様のいずれか一つの点灯装置（２ａ）と、点灯装置（２ａ）から点灯電力を供給される光源（２ｂ）と、少なくとも光源（２ｂ）が支持される筐体（４３、７２）と、を備える。
【００９３】
上述の照明器具（２Ａ、２Ｂ）は、給電電圧（Ｖ２）の値が変化することで制御され、かつ、給電電圧（Ｖ２）の値が小さい期間（オフ期間Ｗｏｆｆ）における電気的な損失の増加を抑えることができる。
【００９４】
さらに、実施形態に係る第６の態様の照明システム（Ａ１）は、第１乃至第４の態様のいずれか一つの点灯装置（２ａ）と、第１値（［Ｖ２１］）及び第２値（［Ｖ２２］）を交互に繰り返す給電電圧（Ｖ２）を一対の給電路（Ｅ２１、Ｅ２２）に印加する電源装置（１）と、を備える。
【００９５】
上述の照明システム（Ａ１）は、給電電圧（Ｖ２）の値が変化することで制御され、かつ、給電電圧（Ｖ２）の値が小さい期間（オフ期間Ｗｏｆｆ）における電気的な損失の増加を抑えることができる。
【００９６】
また、上述の実施形態及び変形例は一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【００９７】
１  電源装置
２、２Ａ、２Ｂ  照明器具
２ａ  点灯装置
２ｂ  光源
２０２  定電流回路（点灯回路）
２０１  電圧判定部
４３、７２  筐体
Ｅ２１、Ｅ２２  給電路
ＩＬ１  点灯電流
Ｖ２  給電電圧
［Ｖ２１］  第１値
［Ｖ２２］  第２値
【図１】
2020068072.tif 000003
【図２】
2020068072.tif 000004
【図３】
2020068072.tif 000005
【図４】
2020068072.tif 000006
【図５】
2020068072.tif 000007
【図６】
2020068072.tif 000008
【図７】
2020068072.tif 000009
【図８】
2020068072.tif 000010
【図９】
2020068072.tif 000011
【図１０】
2020068072.tif 000012
【図１１】
2020068072.tif 000013
【図１２】
2020068072.tif 000014
【図１３】
2020068072.tif 000015